(57)【要約】【課題】  二重環縫目のホツレ現象を利用して開封作業を行うことができる封緘材を提供する。【解決手段】  長手方向に沿って両端に粘着膜を形成したシート体と、シート体両端の粘着膜へ剥離自在に貼り合わされたセパレータとを備え、該シート体の非粘着部分に開封手段の摘み片を配置した封緘材において、シート体を非粘着部分で２分割にして該非粘着部分を上下に重ね合わせると共に、その重ね合わせ部分に二重環縫目を形成し、二重環縫目の終端に残ったルーパ糸を開封手段の摘み片とした。【選択図】          図１
2006123919.tif 000002
【特許請求の範囲】
【請求項１】
長手方向に沿って両端に粘着膜を形成したシート体と、シート体両端の粘着膜へ剥離自在に貼り合わされたセパレータとを備え、該シート体の非粘着部分に開封手段の摘み片を配置した封緘材において、
シート体を非粘着部分で２分割にして該非粘着部分を上下に重ね合わせると共に、その重ね合わせ部分に二重環縫目を形成し、二重環縫目の終端に残ったルーパ糸を開封手段の摘み片としたことを特徴とする封緘材。
【請求項２】
シート体の粘着膜が二重環縫目のルーパ糸部列に沿って左右に形成され、セパレータが前記左右の粘着膜に各別に貼り合わされている請求項１記載の封緘材。
【請求項３】
一方の粘着膜の左右幅が二重環縫目の左右幅より狭い請求項２記載の封緘材。
【請求項４】
シート体の粘着膜が二重環縫目の針糸部列に沿って左右に形成され、セパレータが前記左右の粘着膜に各別に貼り合わされている請求項１記載の封緘材。
【請求項５】
シート体の粘着膜が二重環縫目のルーパ糸部列および針糸部列の左右どちらか一方に夫々形成され、且つ該粘着膜へ剥離自在に貼り合わされるセパレータが他方の非粘着部分と横方に隣接するようにした請求項１記載の封緘材。
【発明の詳細な説明】
【技術分野】
【０００１】
本発明は、開封作業を行なえる便利な封緘材に関する。
【背景技術】
【０００２】
従来の封緘材としては、長手方向に沿って両端に粘着膜を形成したシート体と、シート体両端の粘着膜へ剥離自在に貼り合わされたセパレータとを備え、該シート体の非粘着部分に開封手段の摘み片を配置したものが知られている（例えば、特許文献１を参照。）。
【０００３】
【特許文献１】特開２０００−７２１７５号公報(第２−４頁、第３図)
【発明の開示】
【発明が解決しようとする課題】
【０００４】
ところが従来の封緘材においては、摘み片を引っ張ると単にシート体が引き裂かれるのみで味気なかった。従って、本発明の課題は、二重環縫目のホツレ現象を利用して開封作業を行うことができる封緘材を提供することを目的としている。
【課題を解決するための手段】
【０００５】
本発明は、上記目的を達成するために、長手方向に沿って両端に粘着膜を形成したシート体と、シート体両端の粘着膜へ剥離自在に貼り合わされたセパレータとを備え、該シート体の非粘着部分に開封手段の摘み片を配置した封緘材において、シート体を非粘着部分で２分割にして上下に重ね合わせると共に、その重ね合わせ部分に二重環縫目を形成し、二重環縫目の終端に残ったルーパ糸を開封手段の摘み片としたことを特徴とする。
【０００６】
なおセパレータをシート体両端の粘着膜へ各別に貼り合せ、二重環縫目のルーパ糸部列をセパレータと左右に並設させるとよく、その際、一方の粘着膜の左右幅を二重環縫目の左右幅より狭くしておくとよい。またセパレータをシート体両端の粘着膜へ各別に貼り合せ、二重環縫目の針糸部列をセパレータと左右に並設させてもよい。
【０００７】
更に、シート体の粘着膜を二重環縫目のルーパ糸部列および針糸部列の左右どちらか一方に夫々形成させ、該粘着膜へ剥離自在に貼り合わされるセパレータを他方の非粘着部分と横方に隣接させておいてもよい。
【発明の効果】
【０００８】
本発明によれば、摘み片を引っ張ると二重環縫目のルーパ糸部列が次々とホツレていくので、二重環縫目の儚さを堪能しながら容易にシート体を２分割させつつ開封作業を行える。なおシート体の粘着膜を二重環縫目のルーパ糸部列に沿って左右に形成させておくと封緘時に二重環縫目のみを際立たせることができ、一方の粘着膜の左右幅を二重環縫目の左右幅より狭くしておくと、封緘時に二重環縫目が畝状にならない。
【０００９】
またシート体の粘着膜を二重環縫目の針糸部列に沿って左右に形成させておくと封緘作業が行いやすくなる。シート体の粘着膜を二重環縫目のルーパ糸部列および針糸部列の左右どちらか一方に夫々形成させ、該粘着膜へ剥離自在に貼り合わされるセパレータを他方の非粘着部分と横方に隣接させておくと、封緘材としての厚みを略一定にすることができる。
【発明を実施するための最良の形態】
【００１０】
以下、本発明の実施の形態を図面に基づいて説明する。図１は、本発明に係る封緘材の一実施例を示した説明図である。図１に示されるように、封緘材１のシート体２，２は２分割されていると共に上下に重ね合わされ、この重ね合わされた部分（非粘着部分）は二重環縫目Ｓにより縫合状態となっている。この二重環縫目Ｓは公知の多本針二重環縫いミシンで形成され、二重環縫目Ｓ終端のルーパ糸７は若干長い目に残されている。シート体２，２には長手方向に沿って粘着膜３，３が形成されている。粘着膜３，３は二重環縫目Ｓのルーパ糸部列７ＬＬに隣接して左右に配置され、粘着膜３，３にセパレータ４，４が各別に貼り合わされている。このセパレータ４，４は粘着膜３，３に対して剥離自在となっている。
【００１１】
上記封緘材１の使用例を図２および図３に基づいて説明する。封筒５を封緘する際、先ず一方のセパレータ４を粘着膜３より剥離し、該粘着膜３を封筒５の蓋片６の表面６ａに圧着する。この圧着部分となる粘着膜３の左右幅は二重環縫目Ｓの左右幅より狭く、これにより封緘時に二重環縫目Ｓが畝状にならない。そして蓋片６を封筒５の封緘部５ａ側に折り曲げた後、他方のセパレータ４を粘着膜３より剥離し、封筒５の封を閉じる。なお開封時まで邪魔とならないように、二重環縫目Ｓ終端のルーパ糸７をシール等で封筒に保持させておくとよい。
【００１２】
開封する際は二重環縫目Ｓの終端に残ったルーパ糸７（開封手段の摘み片）を引っ張るとよい。図４に示されるように、ルーパ糸７を矢印方向Ｘに引っ張ると、最後のルーパ糸ループ７Ｌは針糸ループ９Ｌ，９Ｌより外れ、手前のルーパ糸ループ７Ｌ’がフリーとなる。そしてルーパ糸７を更に引っ張るとルーパ糸ループ７Ｌ’は手前の針糸ループ９Ｌ’，９Ｌ’より外れる。つまり終端のルーパ糸７を引っ張ることで二重環縫目Ｓが次々とホツレていくことになる。重ね合わされていたシート体２，２は二重環縫目Ｓがホツレてしまうことで実質的に離間状態となり、図２の一点鎖線に示されるように、容易に開封することができる。
【００１３】
なお上記封緘材１（第１実施例）では、シート体の粘着膜を二重環縫目のルーパ糸部列７ＬＬに沿って左右に形成させていたが、これに限定されるだけでない。例えば図５に示された封緘材１０のように、シート体２，２の粘着膜１１，１１を二重環縫目Ｓの針糸部列９ＬＬに沿って左右に形成させてもよい。その際も粘着膜１１，１１にセパレータ１２，１２を各別に貼り合わせておくとよい。この封緘材１０では、図６に示されるように、蓋片６を封筒５の封緘部５ａ側に折り曲げた後でも容易に封緘作業を行うことができる。
【００１４】
上記封緘材１０（第２実施例）では、粘着膜の圧着が蓋片の表面６ａと封筒の封緘部５ａとで行われていたが、これに限定されるだけでなく、該圧着を蓋片の裏面６ｂと封筒の封緘部５ａとで行うようにしてもよい。このような構成にすると封緘材１０を封筒５の蓋片６内に隠蔽することができる。また封緘材１０の二重環縫目Ｓとして、ＪＩＳ  Ｌ  ０１２０に示されたステッチ形式の表示記号４０６が採用されているが、これに限定されるだけでなく、例えば図７に示されるように、ステッチ形式の表示記号４０１を用いてもよい。ステッチ形式４０１を採用することで封緘材の隠蔽だけでなく、封緘材の印象を希薄にできる。
【００１５】
更に両実施例では、封緘材の一方側に粘着膜を形成させるようにしていたが、これに限定されるだけでない。図８に示されるように、シート体２，２の粘着膜１４，１４を二重環縫目Ｓのルーパ糸部列７ＬＬおよび針糸部列９ＬＬの左右どちらか一方に夫々形成させ、且つ該粘着膜１４，１４へ剥離自在に貼り合わされるセパレータ１５，１５を他方の非粘着部分と横方に隣接させておくとよい。このような構成にすると封緘材１３の厚みを略一定にすることができる。該封緘材１３の使用例としては、図９および図１０に示されるような形態がある。また封緘材１３の変形例として、二重環縫目Ｓのルーパ糸部列７ＬＬに沿って左右に縫い代部分を設け、該縫い代部分に装飾を施してもよい。
【産業上の利用可能性】
【００１６】
本実施の形態では封筒の封緘用として封緘材が採用されていたが、これに限定されるだけでない。例えば、カード市場や製本市場、あるいはワイン市場で使用される商品用梱包具の封緘用としても適用できる。
【図面の簡単な説明】
【００１７】
【図１】本発明に係る封緘材の一実施例を示した説明図である。
【図２】同封緘材の使用例を示した概略側面図である。
【図３】同封緘材の使用例を示した外観斜視図である。
【図４】二重環縫目の構造を説明した斜視図である。
【図５】本発明に係る封緘材の第２実施例を示した説明図である。
【図６】第２実施例に係る封緘材の使用例を示した概略側面図である。
【図７】第２実施例に係る封緘材の変形例を説明した概略側面図である。
【図８】本発明に係る封緘材の第３実施例を示した説明図である。
【図９】第３実施例に係る封緘材の使用例を示した概略側面図である。
【図１０】第３実施例に係る封緘材の使用例を示した概略側面図である。
【符号の説明】
【００１８】
１，１０，１３      封緘材
２                  シート体
３，１１，１４      粘着膜
４，１２，１５      セパレータ
７                  ルーパ糸（開封手段の摘み片）
７ＬＬ              ルーパ糸部列
９ＬＬ              針糸部列
Ｓ                  二重環縫目
【図１】
2006123919.tif 000003
【図２】
2006123919.tif 000004
【図３】
2006123919.tif 000005
【図４】
2006123919.tif 000006
【図５】
2006123919.tif 000007
【図６】
2006123919.tif 000008
【図７】
2006123919.tif 000009
【図８】
2006123919.tif 000010
【図９】
2006123919.tif 000011
【図１０】
2006123919.tif 000012